(57)【要約】      （修正有）【課題】波長拡張性が高い低コストの光アド・ドロップ装置を提供する。【解決手段】入力コリメータ３と出力コリメータ４とからなる一組の入・出力コリメータ対を配置し、駆動装置により挿抜可能な２個の光路平行移動素子からなるＮ組の可動式光学ユニット６の間に設けた或る特定の波長のみを反射するドロップ用固定フィルタ８とアド用固定フィルタ９の組を、入力コリメータ３と出力コリメータ４の間の光路上に並べて配置すると共に、それぞれに対応させて、ドロップ用コリメータ５とアド用コリメータ１０とを平行に並べて配備した光アド・ドロップ装置。【選択図】図１
2006201432.tif 000002
【特許請求の範囲】
【請求項１】
入力コリメータと出力コリメータからなる一組の入・出力コリメータ対を配置し、入力コリメータから出力コリメータ間の光路上に、駆動装置により挿抜可能で２個の光路平行移動素子からなるＮ組の可動式光学ユニットの間にドロップ用固定フィルタを配置すると共に、前記Ｎ組の可動式光学ユニットに対応させてドロップ用コリメータを平行に並べて配備し、可動式光学ユニットが、光路上に挿入された際、光路が平行移動して前記２個の光路平行移動素子間にある特定の波長のみを反射するドロップ用固定フィルタにより反射した光が、対応するドロップ用コリメータにより分波され、一方、残りの透過光は、前記光路平行移動素子により、前記入・出力コリメータ対間の光路上に戻ることを特徴とする光ドロップ装置。
【請求項２】
入力コリメータと出力コリメータからなる一組の入・出力コリメータ対を配置し、入力コリメータから出力コリメータ間の光路上に、駆動装置により挿抜可能な２個の光路平行移動素子からなるＮ組の可動式光学ユニットの間にアド用固定フィルタを配置すると共に、前記Ｎ組の可動式光学ユニットに対応させてアド用コリメータを平行に並べて配備し、可動式光学ユニットが、光路上に挿入された際、光路が平行移動して前記２個の光路平行移動素子間にある特定の波長のみを反射するアド用固定フィルタにより反射した光が、平行移動した光路と合波され、前記光路平行移動素子により、前記入・出力コリメータ対間の光路上に戻ることを特徴とする光アド装置。
【請求項３】
入力コリメータと出力コリメータからなる一組の入・出力コリメータ対を配置し、入力コリメータから出力コリメータ間の光路上に、駆動装置により挿抜可能な２個の光路平行移動素子からなるＮ組の可動式光学ユニットの間に設けたある特定の波長のみを反射する第１ドロップ用固定フィルタを配置すると共に、第１ドロップ用固定フィルタで反射された光を反射するそれと同特性の第２ドロップ用固定フィルタを配備し、可動式光学ユニットが、光路上に挿入された際、一方は、第１、第２ドロップ固定フィルタを通過してドロップ用コリメータに分波され、他方、残りの透過光は、前記光路平行移動素子により、前記入・出力コリメータ対間の光路上に戻ることを特徴とする光ドロップ装置。
【請求項４】
入力コリメータと出力コリメータからなる一組の入・出力コリメータ対を配置し、入力コリメータから出力コリメータ間の光路上に、駆動装置により挿抜可能な２個の光路平行移動素子からなるＮ組の可動式光学ユニットの間に設けたある特定の波長のみを反射する第１アド用固定フィルタを配置すると共に、第１アド用固定フィルタで反射された光を反射するそれと同特性の第２アド用固定フィルタを配備し、可動式光学ユニットが、光路上に挿入された際、アド用コリメータからの光が、第２、第１アド用固定フィルタを通過して、平行移動した光路と合波され、前記光路平行移動素子により、前記入・出力コリメータ対間の光路上に戻ることを特徴とする光アド装置。
【請求項５】
入力コリメータと出力コリメータからなる一組の入・出力コリメータ対を配置し、入力コリメータから出力コリメータ間の光路上に、駆動装置により挿抜可能な２個の光路平行移動素子からなるＮ組の可動式光学ユニットの間に設けたある特定の波長のみを反射するドロップ用固定フィルタとアド用固定フィルタの組を並べて配置すると共に、それぞれに対応させてドロップ用コリメータとアド用コリメータを平行に並べて配備し、可動式光学ユニットが、光路上に挿入された際、ドロップ用固定フィルタによって、ある特定の波長の光は反射され、対応するドロップ用コリメータに分波され、一方、アド用コリメータからの光が、アド用固定フィルタによって反射され、平行移動した光路と合波され、前記光路平行移動素子により、前記入・出力コリメータ対間の光路上に戻ることを特徴とする光アド・ドロップ装置。
【発明の詳細な説明】
【技術分野】
【０００１】
本発明は、光を波長ごとに分波し特定の波長をアド｛ある特定の波長の光を追加（合波）｝またはドロップ｛ある特定の波長の光を抜き出す（分波）｝を切り替える光アド・ドロップ装置に関する。
【背景技術】
【０００２】
従来の光アド・ドロップ装置は、図２に示すように、２台のアレイ導波路回折格子１３′の間に光スイッチ１４′が配置された構成である。（例えば、特許文献１参照。）。
このような従来の光アド・ドロップ装置の欠点は、アレイ導波路回折格子が高コストで、波長の拡張性に乏しいことが挙げられる。
我々は、既に提出した特願２００３ー２８７１６６号公報で示すように、光路平行移動素子を可動にする構造を発明することにより、光学素子と駆動装置の厳しい加工精度と位置決めと角度における厳しい精度要求に対して、大幅な精度緩和を可能とした光スイッチを発明した。本発明は前記発明を応用し、安価で波長拡張性の高い光アド・ドロップ装置を提供する。
【０００３】
【特許文献１】特開２０００−２０６３６２号公報
【発明の開示】
【発明が解決しようとする課題】
【０００４】
解決しようとする課題は、アド・ドロップ装置で用いられる光部品は高コストで波長の拡張性に乏しいという課題があった。
本発明は、光合分波部と光スイッチ部を一体とし、低コストで波長拡張性の高い光アド・ドロップ装置を提供することを目的としている。
【課題を解決するための手段】
【０００５】
本発明は、これらの問題を解決するために、鋭意検討した結果、
第１番目としては、可動式光学ユニットが、光路上に挿入された際、光路が平行移動して前記２個の光路平行移動素子間にある特定の波長のみを反射するドロップ用固定フィルタにより反射した光が、対応するドロップ用コリメータにより分波され、一方、残りの透過光は、前記光路平行移動素子により、前記入・出力コリメータ対間の光路上に戻る光ドロップ装置である。ここで、光路平行移動素子は、図に示す平行四辺形型プリズム以外に、２枚のミラーでも構わない。
第２番目としては、可動式光学ユニットが、光路上に挿入された際、光路が平行移動して前記２個の光路平行移動素子間にある特定の波長のみを反射するアド用固定フィルタにより反射した光が、平行移動した光路と合波され、前記光路平行移動素子により、前記入・出力コリメータ対間の光路上に戻る光アド装置である。
第３番目としては、可動式光学ユニットが、光路上に挿入された際、一方は、第１、第２ドロップ固定フィルタを通過してドロップ用コリメータに分波され、他方、残りの透過光は、前記光路平行移動素子により、前記入・出力コリメータ対間の光路上に戻る光ドロップ装置である。
第４番目としては、可動式光学ユニットが、光路上に挿入された際、アド用コリメータからの光が、第２、第１アド用固定フィルタを通過して、平行移動した光路と合波され、前記光路平行移動素子により、前記入・出力コリメータ対間の光路上に戻ることを特徴とする光アド装置である。
第５番目としては、可動式光学ユニットが、光路上に挿入された際、ドロップ用固定フィルタによって、ある特定の波長の光は反射され、対応するドロップ用コリメータに分波され、一方、アド用コリメータからの光が、アド用固定フィルタによって反射され、平行移動した光路と合波され、前記光路平行移動素子により、前記入・出力コリメータ対間の光路上に戻る光アド・ドロップ装置である。
【発明の効果】
【０００６】
本発明は、光合分波部と光スイッチ部を一体化した構造となっており、低コストで波長拡張性の高い光アド・ドロップ装置を提供できる。
という優れた効果があるので、その工業的価値は大きい。
【発明を実施するための最良の形態】
【０００７】
以下、本発明の光アド・ドロップ装置の実施例を添付図面を参照して詳細に説明する。
【実施例１】
【０００８】
第１実施例は、図１（イ）に示すように、入力コリメータ３と出力コリメータ４からなる一組の入・出力コリメータ対を配置し、入力コリメータ３から出力コリメータ４間の光路２上に、駆動装置により挿抜可能で２個の平行四辺形型プリズム７からなるＮ組の可動式光学ユニット６の間に設けたある特定の波長のみを反射するドロップ用固定フィルタ８を配置すると共に、前記Ｎ組の可動式光学ユニット６に対応させてドロップ用コリメータ５を平行に並べて配備し、可動式光学ユニット６が、光路２上に挿入された際、光路２が平行移動して前記２個のプリズム間にある特定の波長のみを反射するドロップ用固定フィルタ８により反射した光が、対応するドロップ用コリメータ５に分波され、一方、残りの透過光は前記プリズムにより、前記入出力コリメータ対間の光路２上に戻る光ドロップ装置である。ここで、光の入射角は、ドロップ用固定フィルタ８に対して４５°になるように配置し、以下他の実施例も同様にした。
【実施例２】
【０００９】
第２実施例は、図１（ロ）に示すように、入力コリメータ３と出力コリメータ４からなる一組の入・出力コリメータ対を配置し、入力コリメータ３から出力コリメータ４間の光路２上に、駆動装置により挿抜可能な２個の平行四辺形型プリズム７からなるＮ組の可動式光学ユニット６の間に設けたある特定の波長のみを反射するアド用固定フィルタ９を配置すると共に、前記Ｎ組の可動式光学ユニット６に対応させてアド用コリメータ１０を平行に並べて配備し、可動式光学ユニット６が、光路２上に挿入された際、光路２が平行移動して前記２個のプリズム間にある特定の波長のみを反射するアド用固定フィルタ９により反射した光が、平行移動した光路２と合波され、前記プリズムにより、前記入・出力コリメータ対間の光路２上に戻る光アド装置である。
【実施例３】
【００１０】
第３実施例は、図１（ハ）に示すように、入力コリメータ３と出力コリメータ４からなる一組の入・出力コリメータ対を配置し、入力コリメータ３から出力コリメータ４間の光路２上に、駆動装置により挿抜可能な２個の平行四辺形型プリズム７からなるＮ組の可動式光学ユニット６の間に設けたある特定の波長のみを反射する第１ドロップ用固定フィルタ８Ａを配置すると共に、第１ドロップ用固定フィルタ８Ａで反射された光を反射するそれと同特性の第２ドロップ用固定フィルタ８Ｂを配備し、可動式光学ユニット６が、光路上に挿入された際、一方は、第１、第２ドロップ固定フィルタを通過してドロップ用コリメータ５に分波され、他方、残りの透過光は、前記プリズムにより、前記入・出力コリメータ対間の光路２上に戻る光ドロップ装置である。
【実施例４】
【００１１】
第４実施例は、図１（ニ）に示すように、入力コリメータ３と出力コリメータ４からなる一組の入・出力コリメータ対を配置し、入力コリメータ３から出力コリメータ４間の光路２上に、駆動装置により挿抜可能な２個の平行四辺形型プリズム７からなるＮ組の可動式光学ユニット６の間に設けたある特定の波長のみを反射する第１アド用固定フィルタ９Ａを配置すると共に、第１アド用固定フィルタ９Ａで反射された光を反射するそれと同特性の第２アド用固定フィルタ９Ｂを配備し、可動式光学ユニット６が、光路上に挿入された際、アド用コリメータ１０からの光が、第２、第１アド用固定フィルタ９Ｂ、９Ａを通過して、平行移動した光路と合波され、前記プリズムにより、前記入・出力コリメータ対間の光路２上に戻る光アド装置である。
【実施例５】
【００１２】
第５実施例は、図１（ホ）に示すように、入力コリメータ３と出力コリメータ４からなる一組の入・出力コリメータ対を配置し、入力コリメータ３から出力コリメータ４間の光路２上に、駆動装置により挿抜可能な２個の平行四辺形型プリズム７からなるＮ組の可動式光学ユニット６の間に設けたある特定の波長のみを反射するドロップ用固定フィルタ８とアド用固定フィルタ９の組を並べて配置すると共に、それぞれに対応させてドロップ用コリメータ５とアド用コリメータ１０を平行に並べて配備し、可動式光学ユニット６が、光路上に挿入された際、ドロップ用固定フィルタ５によって、ある特定の波長の光は反射され、対応するドロップ用コリメータ５に分波され、一方、アド用コリメータ１０からの光が、アド用固定フィルタ９によって反射され、平行移動した光路と合波され、前記光路平行移動素子により、前記入・出力コリメータ対間の光路２上に戻る光アド・ドロップ装置である。
【産業上の利用可能性】
【００１３】
これまで、本発明の光アド・ドロップ装置を、代表例を挙げて図面で説明してきたが、設計上、これ以外の各種の変形例でも構わず、本発明の範囲内に含まれる。
【図面の簡単な説明】
【００１４】
【図１】（イ）、（ロ）、（ハ）、（ニ）、（ホ）は、それぞれ、本発明の第１、２、３、４、５実施例の光アド・ドロップ装置の説明図である。
【図２】は、従来の光アド・ドロップ装置１′の説明図である。
【符号の説明】
【００１５】
１Ａ、１Ｂ、１Ｃ、１Ｄ、１Ｅ
それぞれ、本発明の第１、２、３、４、５実施例の光アド・ドロップ装置
２    光路
３    入力コリメータ
４    出力コリメータ
５    ドロップ用コリメータ
６    可動式光学ユニット
７    平行四辺形型プリズム
８、８Ａ、８Ｂ
それぞれ、ドロップ用固定フィルタ、第１ドロップ用固定フィルタ、
第２ドロップ用固定フィルタ
９、９Ａ、９Ｂ
それぞれ、アド用固定フィルタ、第１アド用固定フィルタ、
第２アド用固定フィルタ
１０  アド用コリメータ
１′  従来の光アド・ドロップ装置
１１′入力ファイバ
１２′出力ファイバ
１３′アレイ導波路回折格子
１４′光スイッチ
１５′アド用ファイバ
１６′ドロップ用ファイバ
【図１】
2006201432.tif 000003
【図２】
2006201432.tif 000004